(57)【要約】  【課題】  インターネットのサービスを利用するユーザの匿名性を確保しつつ利用するユーザに課金を行うことができるサービス提供・課金システムを提供する。  【解決手段】  決済を行うために必要なユーザを識別するユーザＩＤデータと、ハードウェアに固有に割り当てられたグローバルアドレスデータとを記録する第１記憶手段を有し、無線の通信キャリアを介して無線でのデータ通信及び通話が可能となった携帯端末１０のユーザに対して個人データを保護してサービスを提供すると共に課金を行うためのものであって、前記ユーザＩＤデータ、前記グローバルアドレスデータ及び使用する通信キャリアを識別する通信キャリア種別データが関連づけられて予め格納された第２記憶手段を有する仲介サーバ２０と、グローバルアドレスデータとサービスに関わる個人データとが関連付けられて蓄積される第３記憶手段を有するサービス提供サーバ３０と、前記ユーザＩＤデータと、そのユーザへの課金データとが関連付けられて蓄積される第４記憶手段を有する通信キャリア管理装置４０と、が設けられる。【選択図】  図１
2005182638.tif 000002
【特許請求の範囲】
【請求項１】
決済を行うために必要な、ユーザを識別するユーザＩＤデータと、ハードウェアに固有に割り当てられたグローバルアドレスデータとを記録する第１記憶手段を有し、無線の通信キャリアを介して無線でのデータ通信及び通話が可能となった携帯端末のユーザに対して、個人データを保護してサービスを提供すると共に課金を行うためのサービス提供・課金システムであって、
前記ユーザＩＤデータ、前記グローバルアドレスデータ及び使用する通信キャリアを識別する通信キャリア種別データが関連づけられて予め格納された第２記憶手段を有する、仲介サーバと、
グローバルアドレスデータとサービスに関わる個人データとが関連付けられて蓄積される第３記憶手段を有する、サービス提供サーバと、
前記ユーザＩＤデータと、そのユーザへ課される課金データとが関連付けられて蓄積される第４記憶手段を有する、通信キャリア管理装置と、
を有し、
前記サービス提供サーバは、グローバルアドレスデータをキーとしてインターネットを介してサービス提供要求があったときに、インターネットを介してサービスを提供すると共に、そのグローバルアドレスデータとサービスに関わる個人データとを関連付けて第３記憶手段に蓄積するサービス提供部と、ユーザへのサービスに応じた課金データとグローバルアドレスデータとを関連付けて、仲介サーバへと送信する決済要求部と、を有し、
前記仲介サーバは、前記決済要求部からのデータを受けると、第２記憶手段を参照して、グローバルアドレスデータからユーザＩＤデータを割り出し、該ユーザＩＤデータと課金データとを関連付けて、前記通信キャリア管理装置へと送信する決済仲介部を有し、
前記通信キャリア管理装置は、前記決済仲介部からの課金データを、該ユーザＩＤデータと関連付けて第４記憶手段に記録する決済受付部を有する、ことを特徴とするサービス提供・課金システム。
【請求項２】
ユーザＩＤデータは、電話番号またはメールアドレスであることを特徴とする請求項１記載のサービス提供・課金システム。
【請求項３】
前記サービス提供サーバのサービス提供部が提供するサービスは、第３記憶手段に蓄積されたユーザの個人データのインターネットを介した提示であることを特徴とする請求項１または２記載のサービス提供・課金システム。
【請求項４】
前記個人データは、前記携帯端末に搭載された個人データ生成部によって生成されたデータであり、
該個人データ生成部によって生成された個人データは、グローバルアドレスコードをキーとして前記サービス提供サーバへと送信されて、サービス提供サーバの第３記憶手段に、グローバルアドレスコードと関連付けて記録されるものであることを特徴とする請求項３記載のサービス提供・課金システム。
【請求項５】
前記サービス提供サーバの第３記憶手段に蓄積されたユーザの個人データは、ユーザのサービス利用履歴データであることを特徴とする請求項１または２記載のサービス提供・課金システム。
【発明の詳細な説明】
【技術分野】
【０００１】
本発明は、インターネットを介してのユーザのサービス提供要求に対して、インターネットを介してサービスを提供すると共に、ユーザの匿名性を保持しつつユーザへの課金を行うことができるサービス提供・課金システムに関する。
【背景技術】
【０００２】
インターネットを介してのユーザへのサービス提供として、例えば、ユーザの代わりに、ユーザの多量の情報を蓄積して管理したり、またはユーザに様々な情報を提供することが行われている。このようなサービス提供が容易になり一般的になっていく反面で、それを利用するユーザの個人データの保護が重要になってきている。
【０００３】
保護したい個人データとしては、任意の情報が考えられるが、例えば、多量で且つ個人的であって、蓄積して管理する要求が高い情報として、健康データを挙げることができる。近年、万歩計（登録商標）、血圧計、心電計、心拍計、体温計、測位計などのセンサが携帯端末と一体化されたものが知られている。そして、これらのセンサからの測定データが、携帯端末を介してサーバに送信されて、サーバにおいて蓄積されるシステムも知られている。このような健康管理システムは、特開２０００−３３３９１８号公報、特開２００２−１５７３３６号公報、特開２００２−２４４０４号公報等に開示されている。
【０００４】
特開２０００−３３３９１８号公報では、万歩計、血圧計、ＧＰＳが携帯端末と組み合わされており、使用者は血圧、万歩計、ＧＰＳを身体に装着し、一定時間ごとにこれらのデータを携帯端末から病院のサーバコンピュータに転送し、サーバコンピュータでは、万歩計からのデータと血圧データとの相関関係を考慮して、血圧測定値が異常な場合には携帯電話で使用者に状況を確認することができる連続健康管理システムが開示されている。
【０００５】
また、特開２００２−１５７３３６号公報でも同様に、体温センサ、血圧センサ、脈拍センサ、万歩計の健康管理センサ群が携帯電話と接続されており、健康管理センサ群からの情報信号が携帯電話からホストコンピュータに伝送され、ホストコンピュータでは、伝送された情報信号に基づき、診断メールなどを携帯電話に配信する健康管理システムが開示される。
【０００６】
特開２００２-２４４０４号公報では、運動量のデータをサーバに登録する登録部として、万歩計一体型携帯情報端末を用いて一定時間毎にその測定データを自動送信する方式、ＧＰＳ携帯情報端末を用いて移動距離を測定し、その測定データを自動送信する方式、歩行数を万歩計により計測し、自宅のパソコンから所定のＷＥＢサイトにアクセスして、その測定データを送信するＷＥＢサイト入力方式のそれぞれに対応した登録部を備えた運動量登録部と、飲食品のデータを登録する登録部として、店舗のレジスタから直接インターネットを経由して送信する方式、店舗のレジスタに外部記憶媒体を介して携帯情報端末から送信する方式、自宅のパソコンから所定のＷＥＢサイトにアクセスして、その飲食量データを送信するＷＥＢサイト入力方式のそれぞれに対応した登録部を備えた飲食情報登録部とを、備え、さらに、サーバに登録された情報に基づき、運動と飲食に関するアドバイスを携帯情報端末またはコンピュータに電子メールで発信するアドバイス部とを備える総合健康情報管理システムが開示される。
【０００７】
しかしながら、以上の健康管理システムではいずれも、サーバに送信した個人データに基づき、警報、診断やアドバイスなどがサーバから電子メールなどでユーザへとフィードバックされることが必須となっており、そのために、ユーザの匿名性が確保できないという問題がある。監視を要する患者の場合には匿名性を重視する必要はないが、多くの健康なユーザの場合、自分の属性を開示することなく、個人データを記録しておきたいという要求がある。
【０００８】
また、個人データを保護する別の手段として、属性情報の開示は一切求めずに、ユーザに割り当てたユーザの属性とは関係のないＩＤ及びパスワードと、ユーザの個人データとを関連させることもできる。ユーザは、そのユーザの属性とは一切関係のないＩＤ及びパスワードを利用して、個人データをホストコンピュータへ送ったり、所定のサイトからの情報を取得したりすることができる。
【０００９】
しかしながら、インターネットを利用したビジネスを考えた場合に、ユーザからの課金及び決済をいかに行うかが別の重要な問題となってくる。ユーザの匿名性を保持したまま、匿名のユーザに対して課金・決済を行うことができないからである。
【００１０】
【特許文献１】特開２０００−３３３９１８号公報
【特許文献２】特開２００２−１５７３３６号公報
【特許文献３】特開２００２−２４４０４号公報
【発明の開示】
【発明が解決しようとする課題】
【００１１】
本発明が解決しようとする課題は、インターネットのサービスを利用するユーザの匿名性を確保しつつ利用するユーザに課金を行うことができるシステムを提供することである。また、ユーザがサービスを利用する際に、そのインターネットのサービスを利用するために必要な識別コードの管理を簡単に行うことができるシステムを提供することである。
【課題を解決するための手段】
【００１２】
前述した課題を解決するために、請求項１記載の発明は、決済を行うために必要な、ユーザを識別するユーザＩＤデータと、ハードウェアに固有に割り当てられたグローバルアドレスデータとを記録する第１記憶手段を有し、無線の通信キャリアを介して無線でのデータ通信及び通話が可能となった携帯端末のユーザに対して、個人データを保護してサービスを提供すると共に課金を行うためのサービス提供・課金システムであって、
前記ユーザＩＤデータ、前記グローバルアドレスデータ及び使用する通信キャリアを識別する通信キャリア種別データが関連づけられて予め格納された第２記憶手段を有する、仲介サーバと、
グローバルアドレスデータとサービスに関わる個人データとが関連付けられて蓄積される第３記憶手段を有する、サービス提供サーバと、
前記ユーザＩＤデータと、そのユーザへ課される課金データとが関連付けられて蓄積される第４記憶手段を有する、通信キャリア管理装置と、
を有し、
前記サービス提供サーバは、グローバルアドレスデータをキーとしてインターネットを介してサービス提供要求があったときに、インターネットを介してサービスを提供すると共に、そのグローバルアドレスデータとサービスに関わる個人データとを関連付けて第３記憶手段に蓄積するサービス提供部と、ユーザへのサービスに応じた課金データとグローバルアドレスデータとを関連付けて、仲介サーバへと送信する決済要求部と、を有し、
前記仲介サーバは、前記決済要求部からのデータを受けると、第２記憶手段を参照して、グローバルアドレスデータからユーザＩＤデータを割り出し、該ユーザＩＤデータと課金データとを関連付けて、前記通信キャリア管理装置へと送信する決済仲介部を有し、
前記通信キャリア管理装置は、前記決済仲介部からの課金データを、該ユーザＩＤデータと関連付けて第４記憶手段に記録する決済受付部を有する、ことを特徴とする。
【００１３】
請求項２記載の発明は、請求項１記載のユーザＩＤデータが、電話番号またはメールアドレスであることを特徴とする。
【００１４】
請求項３記載の発明は、請求項１又は２記載の前記サービス提供サーバのサービス提供部が提供するサービスは、第３記憶手段に蓄積されたユーザの個人データのインターネットを介した提示であることを特徴とする。
【００１５】
請求項４記載の発明は、請求項３記載の前記個人データが、前記携帯端末に搭載された個人データ生成部によって生成されたデータであり、
該個人データ生成部によって生成された個人データは、グローバルアドレスコードをキーとして前記サービス提供サーバへと送信されて、サービス提供サーバの第３記憶手段に、グローバルアドレスコードと関連付けて記録されるものであることを特徴とする。
【００１６】
請求項５記載の発明は、請求項１または２記載の前記サービス提供サーバの第３記憶手段に蓄積されたユーザの個人データが、ユーザのサービス利用履歴データであることを特徴とする。
【発明の効果】
【００１７】
本発明によれば、ユーザがサービス提供サーバにサービスの提供を求めるときには、グローバルアドレスデータをキーとして行うために、ユーザの匿名性を保持することができる。一方サービス提供サーバからユーザへサービスに対する課金を行うときには、課金データをグローバルアドレスデータと関連付けて仲介サーバへと送る。仲介サーバでは、グローバルアドレスデータからユーザＩＤデータを割り出し、それを通信キャリア管理装置へと送る。かくして、通信キャリア管理装置では、決済を行うために必要なユーザを識別するユーザＩＤデータを用いて、ユーザの通信キャリアの使用に対する決済と同じように、決済を行うために必要な処理を行うことができるようになる。こうして、インターネットのサービスを利用するユーザの匿名性を確保しつつ利用するユーザに課金を行うことができるようになる。
【００１８】
グローバルアドレスデータをインターネットを介してのサービスを利用するキーとして用いており、これはハードウェアに固有に割り当てられたものであるので、ユーザはそのデータをわざわざ覚える必要もなく、その管理に要する手間を省くことができる。
【００１９】
請求項２記載の発明によれば、ユーザＩＤデータは、電話番号またはメールアドレスとすることにより、ユーザの覚えやすいデータとすることができ、その管理に要する手間を省くことができる。
【００２０】
請求項３記載の発明によれば、ユーザの個人データを携帯端末におけるメモリの容量の制約に関係なく、多量の個人データを第３記憶手段に記録することができる。携帯端末の電源がなくなり、バッテリーの入れ替えなどを行ったとしても、個人データは第３記憶手段に記録されているので、データの喪失を防ぎ、データの継続性を保つことができる。
【００２１】
仮に、携帯端末が交換され、盗難に合い、または紛失した場合には、グローバルアドレスデータの変更を仲介サーバ及びサービス提供サーバにて行うことで、データの継続性を保持することができる。
【００２２】
請求項４記載の発明によれば、携帯端末におけるメモリの容量の制約に関係なく、携帯端末に搭載された個人データ生成部によって生成される多量の個人データを第３記憶手段に記録することができる。ユーザは、個人データ生成部によって生成される個人的なデータを匿名性を持たせたままで第３記憶手段に格納することができる。
【００２３】
請求項５記載の発明によれば、ユーザは、どのようなサービスを利用したかといった個人的なデータに匿名性を持たせたままで、サービスを利用することができ、サービスを提供するサービス提供サーバ側では、ユーザの匿名性を保持しつつ、サービス利用に対する課金を行うことができる。
【発明を実施するための最良の形態】
【００２４】
以下、図面を用いて本発明の実施の形態を説明する。尚、以下の実施形態は本発明を限定するものではない。
【００２５】
（第１の実施形態）
図１は、本発明の第１の実施形態にかかるサービス提供・課金システムの全体構成を表すブロック図である。図において、１０はユーザが携帯する携帯端末であり、２０は個人データ保護及び決済のための仲介サーバ（ＰＡＳＰという）、３０はユーザが利用を希望するサービスを提供するサービス提供サーバであり、この場合にはユーザの多量の情報を蓄積して管理するサービス提供サーバ（ＨＡＳＰという）である。また、４０は決済を実際に行う、または決済を行うために必要なデータを管理する決済実行装置または通信キャリア管理装置である。
【００２６】
携帯端末１０は、携帯電話、ＰＨＳ等の携帯端末であり、通信部と、メモリ１４と、を有している。メモリ１４は、携帯端末１０に固定内蔵のメモリの他に、携帯端末１０に対して取り外し可能となったメモリでもよく、例えば、ＳＤカード、ＳＩＭカード（Subscriber Identity Module Card）、ＵＩＭカード（User Identity Module Card）等の携帯端末に搭載可能な小型カード式のメモリとすることができる。携帯端末１０の内蔵のメモリまたは携帯端末１０に搭載可能となったメモリカードには、電話番号またはユーザ固有のメールアドレスが記録されている。
【００２７】
さらには、携帯端末１０には、個人データであるデータを生成するための個人データ生成部１６が搭載されている。個人データ生成部１６としては、例えば、万歩計（登録商標）、心電計の時系列データといった健康に関するユーザの個人データを取得して、その蓄積処理を行うものとすることができる。または、個人データ生成部１６として、現在位置を計測して緯度・経度データを出力するＧＰＳ、周囲を撮像して画像データを出力するカメラとすることができ、行動に関するユーザの個人データを取得して、その蓄積処理を行うものとすることができる。
【００２８】
上記ＰＡＳＰ２０、ＨＡＳＰ３０及び通信キャリア管理装置４０は、コンピュータ装置で構成され、それぞれ内部に図示しないＣＰＵ、ＲＡＭ、ＲＯＭ、通信インターフェース回路、固定ディスク等の記憶装置等を備える。これらの運営者は同じでもよいが、一般的には異なっている。ＰＡＳＰ２０、ＨＡＳＰ３０及び通信キャリア管理装置４０は図では１つのみ図示するが、それぞれ複数存在し得る。但し、ユーザとＰＡＳＰ２０は１対１に対応し、１つのＰＡＳＰ２０毎に１つの本サービス提供・課金システムが構成されると考える。
【００２９】
予めユーザとＰＡＳＰ２０の運営者との間では、本サービス提供・課金システムの利用をすることの契約がなされている。また、１つのＰＡＳＰ２０の運営者に対して複数のＨＡＳＰ３０の運営者との間でも、本サービス提供・課金システムを構成することの契約がなされている。しかしながら、ユーザとＨＡＳＰ３０の運営者との直接の契約は存在しない。ユーザと通信キャリア管理装置４０の運営者との間では、所定の契約によって、ユーザがその通信キャリアを用いて無線でのデータ通信及び通話をすることができ、且つ、その使用に対する対価の支払いをすることが定められており、ユーザには、そのサービス利用のための電話番号及びメールアドレスが通信キャリア管理装置４０から割り当てられると共に、ユーザと通信キャリア管理装置４０の運営者との間には、支払いをするための金融機関の口座からの自動引き落とし、クレジットカード支払い等を用いた決済手段が確立されている。
【００３０】
次に、携帯端末１０、ＰＡＳＰ２０、ＨＡＳＰ３０及び通信キャリア管理装置４０のそれぞれの記憶装置において管理及び格納するデータについて図２を参照してまとめて説明する。
【００３１】
携帯端末１０のメモリ１４には、ユーザＩＤデータ、オブジェクトＩＤデータ、個人データ及び通信キャリア種別データが格納される。ユーザＩＤデータは、通信キャリア管理装置４０またはその運営者から割り当てられた、前述の電話番号またはメールアドレスとする。なぜならば、この電話番号またはメールアドレスは、通信キャリア管理装置４０において決済をするために必要な識別コードとなるからである。または、ユーザＩＤデータとして、別途通信キャリア管理装置４０との間で割り当てた任意のユーザＩＤデータとすることも考えられるが、ユーザが記憶しやすいコードとして電話番号またはメールアドレスとするとよい。オブジェクトＩＤデータとは、携帯端末１０のハードウェアに付与された固有のＩＤであり、グローバルＩＰアドレスデータとすることができ、例えば、ＩＰｖ６を使った場合、２の３２乗の数字列となる。個人データは、個人データ作成部から取得したデータであり、時間と対応付けられた時系列のデータである。通信キャリア種別データは、複数ある通信キャリア管理装置４０のうち、ユーザが契約を締結している通信キャリア管理装置４０またはその運営者を識別するためのコードである。
【００３２】
ＰＡＳＰ２０の記憶装置２４には、契約を締結したユーザについて、それぞれのユーザＩＤデータ、オブジェクトＩＤデータ、通信キャリア種別データ、課金データ及びＨＡＳＰ識別データが記録されたデータベース２４０が格納される。ＰＡＳＰ２０には、原則的にはユーザの個人データは格納されない。課金データは、後述のＨＡＳＰ３０で算出されたデータである。ＨＡＳＰ識別データは、ＨＡＳＰ３０を識別するためのコードである。
【００３３】
ＨＡＳＰ３０の記憶装置３４には、オブジェクトＩＤデータと、そのオブジェクトＩＤデータと関連付けられて個人データ、ＰＡＳＰ識別データ及び課金データとが記録されたデータベース３４０が格納される。個人データは、前述の携帯端末１０の個人データ生成部１６で取得した時系列データである。ＰＡＳＰ識別データは、ＰＡＳＰ２０を識別するためのコードである。オブジェクトＩＤデータとＰＡＳＰ識別データとは、ＰＡＳＰ２０とＨＡＳＰ３０の運営者のそれぞれ契約締結を行った後に、ＰＡＳＰ２０と契約を締結したユーザ毎にＰＡＳＰ２０から提供される。課金データは、ＨＡＳＰ３０の料金体系に従って算出されたものであるが、例えば、その個人データのデータ量に応じた料金体系である場合には、個人データに応じた値が自動演算される。
【００３４】
通信キャリア管理装置４０の記憶装置４４には、ユーザＩＤデータと課金データとが関連付けられて記録されたデータベース４４０が格納される。ここでの課金データは、ＨＡＳＰ３０のサービス利用に対する課金データのみならず、通信キャリア使用料を含めることができる。
【００３５】
また、携帯端末１０のメモリ１４には、本発明のサービス提供・課金システムを実行するためのプログラムが格納されており、このプログラムは、携帯端末１０を個人データ送信部１１０と個人データ閲覧部１２０として機能させる。
【００３６】
ＰＡＳＰ２０の記憶装置２４には、本発明のサービス提供・課金システムを実行するためのプログラムが格納されており、このプログラムは、ＰＡＳＰ２０をユーザ登録部２１０と、決済仲介部２２０として機能させる。
【００３７】
ＨＡＳＰ３０の記憶装置３４には、本発明のサービス提供・課金システムを実行するためのプログラムが格納されており、このプログラムは、ＨＡＳＰ３０を個人データ登録部３１０、個人データ提示部（サービス提供部）３２０及び決済要求部３３０として機能させる。
【００３８】
通信キャリア管理装置４０の記憶装置４４には、本発明のサービス提供・課金システムを実行するためのプログラムが格納されており、このプログラムは、通信キャリア管理装置４０を決済受付部４１０として機能させる。
【００３９】
以上のように構成されるサービス提供・課金システムの作用を説明する。
【００４０】
以下の具体例では、携帯端末１０に搭載された個人データ生成部１６として万歩計（登録商標）を用い、個人データ生成部１６で得られる歩数データを個人データとした場合について図３及び図４を参照して説明する。
（１）初期登録
初期登録とは、携帯端末１０のユーザとＰＡＳＰ２０の運営者との契約締結後に、ＰＡＳＰ２０で行われる登録であり、ユーザ登録部２１０は、ユーザから提供されたユーザＩＤデータ、オブジェクトＩＤデータ、通信キャリア種別データを記憶装置２４に登録すると共に、ＨＡＳＰ３０へ自己のＰＡＳＰ識別データと共に登録されたオブジェクトＩＤデータを送信する。ＨＡＳＰ３０の個人データ登録部３１０では、記憶装置３４にＰＡＳＰ識別データとオブジェクトＩＤデータを関連付けて登録する。
（２）サービス利用
携帯端末１０の個人データ生成部１６が所定期間（例えば１日）の歩数データを計測すると、その歩数データと日付データとは、携帯端末１０のメモリ１４内に格納される（ステップＳ１０）。携帯端末１０の個人データ送信部１１０は、所定期間毎に（ステップＳ１２）、メモリ１４内に格納された歩数データと日付データを、そのオブジェクトＩＤデータと関連付けて送信する（ステップＳ１４）。また、個人データ送信部１１０は、メモリ１４内に格納されたデータの整理を行い、古いデータは削除して、メモリ１４内のメモリ領域の整理を行い（ステップＳ１６）、メモリ１４内の容量がオーバフローしないようにする。
【００４１】
携帯端末１０から送信されたデータは、通信キャリア管理装置４０が提供する通信キャリアを介して、且つインターネットを介してＨＡＳＰ３０の所定のサイトへと送信される。
【００４２】
ＨＡＳＰ３０は、データを受信すると、個人データ登録部３１０が起動して、オブジェクトＩＤデータが記憶装置３４に登録されている適正なものであるかどうかを判定し（ステップＳ３０）、適正である場合には、送られた個人データを、そのオブジェクトＩＤデータと関連付けてデータベース３４０に格納する（ステップＳ３２）。
【００４３】
こうして、歩数データは、逐次、ＨＡＳＰ３０の記憶装置３４に蓄積されていく。そのＨＡＳＰ３０に格納された個人データをユーザが利用したい場合、即ち、閲覧したい場合に、ユーザは、ＨＡＳＰ３０に格納された個人データを、（２−１）個人データを送信した携帯端末１０から閲覧する場合と、（２−２）コンピュータやテレビ等のインターネットデバイスから閲覧する場合が考えられる。
（２−１）  個人データを送信した携帯端末１０から閲覧する場合
この場合には、個人データ閲覧部１２０がＨＡＳＰ３０の専用サイトをアクセスし、ＨＡＳＰ３０に対して、そのオブジェクトＩＤを送信して個人データ閲覧要求を行う（ステップＳ１８）。ＨＡＳＰ３０の個人データ提示部３２０は、オブジェクトＩＤデータが登録されている適正なものであるかどうかを判定し（ステップＳ３４）、適正な場合は、データベース３４０の中から受信したオブジェクトＩＤに対応する個人データを抽出して、それを携帯端末１０で表示可能な形式にして送信する（ステップＳ３６）。
【００４４】
例えば、携帯端末１０の画面上に、所定期間（本日１日）の歩数、月間の歩数、月間の平均歩数、消費カロリーなどが表示される。
（２−２）  個人データを送信した携帯端末１０ではない別のコンピュータやテレビ等のインターネットデバイスから閲覧する場合
この場合には、携帯端末１０とインターネットデバイスを接続して、インターネットデバイスから携帯端末１０のオブジェクトＩＤデータを読み取り、読み取ったオブジェクトＩＤデータを用いて、ＨＡＳＰ３０の携帯端末１０用とは別の専用サイトをアクセスし、ＨＡＳＰ３０に対して、そのオブジェクトＩＤを送信して個人データ閲覧要求を行う。ＨＡＳＰ３０の個人データ提示部３２０は、データベース３４０の中から受信したオブジェクトＩＤに対応する個人データを抽出して、それをインターネットデバイスで表示可能な形式にして送信する。
【００４５】
例えば、インターネットデバイスの画面上に、所定期間（本日１日）の歩数、月間の歩数、月間の平均歩数、消費カロリーなどが表示される。また、一般的には、携帯端末１０に表示させるよりも、インターネットデバイスに表示させる方が多様な表示が可能であるので、様々な編集を行った表示とするとよく、歩数グラフなどを併せて表示することができる（例えば図５参照）。
【００４６】
ＨＡＳＰ３０の記憶装置３４に格納された自分の個人データをユーザが閲覧することにより次の効果を有する。
・ＨＡＳＰ３０におけるデータの管理のためのキー、及びユーザからのデータ閲覧要求のためのキーとして、携帯端末１０に固有に付与されたオブジェクトＩＤを用いることとしており、オブジェクトＩＤは、ユーザとの関連性は全くないために、ＨＡＳＰ３０に対するユーザの匿名性を確保することができる。
・携帯端末１０におけるメモリ１４の容量の制約に関係なく、多量の個人データをデータベース３４０に記録することができる。
・携帯端末１０の電源がなくなり、バッテリーの入れ替えなどを行ったとしても、個人データはデータベース３４０に記録されているので、データの喪失を防ぎ、データの継続性を保つことができる。
・ＨＡＳＰ３０に対するデータ閲覧要求のためのキーとして、携帯端末１０に固有に付与されたオブジェクトＩＤを用いることとしたために、個人データの送信元と閲覧要求者との同一・非同一をオブジェクトＩＤを用いて確実に判定することができる。また、ユーザは、パスワードの管理などの煩わしさがない。
（３）携帯端末の買い替え、紛失または盗難
携帯端末１０の買い替え、または携帯端末１０の紛失・盗難により、ユーザが別の携帯端末１０を使用することになると、オブジェクトＩＤが変更になる。この場合には、携帯端末１０からＰＡＳＰ２０に対して、登録変更要求を行い、ＰＡＳＰ２０がデータベース２４０のオブジェクトＩＤの更新を行うと共に、ＰＡＳＰ２０がＨＡＳＰ３０に対して登録変更要求を行う。そして、ＨＡＳＰ３０がデータベース３４０のオブジェクトＩＤデータの更新を行う。こうして、オブジェクトＩＤデータを更新することで、個人データの継続性が保たれる。
（４）課金・決済
次に、課金・決済について説明する。ＨＡＳＰ３０の決済要求部３３０は、予め決められた時間周期で（ステップＳ３７）、オブジェクトＩＤごとの課金データを求め、オブジェクトＩＤと関連付けて課金データ及びＨＡＳＰ識別データを対応するＰＡＳＰ２０に送信する（ステップＳ３８）。
【００４７】
ＰＡＳＰ２０ではデータを受け取ると、決済仲介部２２０が起動して、受け取ったデータの中からオブジェクトＩＤデータを参照して、データベース２４０から、そのオブジェクトＩＤデータに対応づけられているユーザＩＤデータと通信キャリア種別データとを抽出し（ステップＳ２０）、その通信キャリア種別データに該当する通信キャリア管理装置４０に向けて、ユーザＩＤ、通信キャリア種別データ及び課金データを通信キャリア管理装置４０へと送信する（ステップＳ２２）。ＰＡＳＰ２０における処理はバッチ処理とすることもでき、複数のＨＡＳＰ３０からの同じユーザに対する課金データを集計してから通信キャリア管理装置４０へと送るようにしてもよい。また、ＰＡＳＰ２０における仲介料をＨＡＳＰ３０からの課金額に追加した課金データを通信キャリア管理装置４０へと送ってもよい。
【００４８】
通信キャリア管理装置４０ではデータを決済受付部４１０で受け取ると、その課金データを、記憶装置４４のデータベース４４０をユーザＩＤと対応付けて記録し（ステップＳ４０）、ユーザＩＤに対応する決済手段によって、その決済を行う（ステップＳ４２）。
【００４９】
通信キャリア管理装置４０の運営者によってユーザから徴収された課金データに対応する代金は、ＰＡＳＰ２０の運営者を介してＨＡＳＰ３０の運営者に支払われる。
【００５０】
こうして、ユーザは、ＨＡＳＰ３０への使用料金を払う一方で、ＨＡＳＰ３０に対する匿名性は保持されることになる。
【００５１】
（第２実施形態）
次に、図６は、本発明の第２実施形態にかかるサービス提供・課金システムの全体構成を表すブロック図である。第１実施形態と同様の部分は、同一の符号を付す。
【００５２】
図において、６０は、ユーザが利用を希望するサービス提供サーバであり、この実施形態におけるサービス提供サーバは、ユーザに様々なコンテンツを提供するサーバ（ＣＳＰという）である。
【００５３】
ＣＳＰ６０の記憶装置６４には、オブジェクトＩＤデータと、そのオブジェクトＩＤデータと関連付けられて個人データ及び課金データが記録されたデータベース６４０が格納される。個人データは、ユーザに配信を行ったコンテンツの履歴データである。課金データは、ＣＳＰ６０の料金体系に従って算出されたものであるが、例えば、その配信したコンテンツのデータ量に応じた料金体系である場合には、個人データに応じた値が自動演算される。
【００５４】
また、ＣＳＰ６０の記憶装置６４には、本発明のサービス提供・課金システムを実行するためのプログラムが格納されており、このプログラムは、ＣＳＰ６０を個人データ登録部６１０、コンテンツ提供部６２０（サービス提供部）及び決済要求部６３０として機能させる。
【００５５】
以上のように構成されるサービス提供・課金システムの作用を説明する。
【００５６】
第１実施形態と（１）初期登録は同じであり、ＰＡＳＰ２０からＰＡＳＰ識別データとオブジェクトＩＤデータがＣＳＰ６０に送られると、個人データ登録部６１０が記憶装置６４にオブジェクトＩＤデータを登録する。
（５）サービス利用
登録後、ユーザがサービスを利用する際には、携帯端末１０から利用する場合と、携帯端末１０ではない別のコンピュータやテレビ等のインターネットデバイスから利用する場合がある。
（５−１）  個人データを送信した携帯端末１０から利用する場合
この場合は、直接、ＣＳＰ６０のサイトをアクセスして、オブジェクトＩＤデータを送信して、コンテンツのダウンロード要求を行う（ステップＳ１９）。ＣＳＰ６０のコンテンツ提供部６２０は、オブジェクトＩＤデータが登録されている適正なものであるかどうかを判定し（ステップＳ６０）、適正である場合には、要求のあったコンテンツを携帯端末１０で受信可能な形式にして送信を行う（ステップＳ６２）。さらに、そのコンテンツの利用履歴をオブジェクトＩＤデータと対応づけてデータベース６４０に記録する（ステップＳ６３）。
【００５７】
（５−２）  個人データを送信した携帯端末１０ではない別のコンピュータやテレビ等のインターネットデバイスから利用する場合
この場合には、携帯端末１０とインターネットデバイスを接続して、インターネットデバイスから携帯端末１０のオブジェクトＩＤを読み取り、読み取ったオブジェクトＩＤを用いて、ＣＳＰ６０の携帯端末１０用とは別の専用サイトをアクセスし、ＣＳＰ６０に対して、そのオブジェクトＩＤを送信してコンテンツのダウンロード要求を行う。ＣＳＰ６０のコンテンツ提供部６２０は、オブジェクトＩＤデータが登録されている適正なものであるかどうかを判定し、適正である場合には、要求のあったコンテンツをインターネットデバイスで受信可能な形式にして送信する。さらに、そのコンテンツの利用履歴をオブジェクトＩＤデータと対応づけてデータベース６４０に記録する。
（６）課金・決済
ＣＳＰ６０の決済要求部６３０は、予め決められた時間周期で（ステップＳ６４）、オブジェクトＩＤごとの課金データを求め、オブジェクトＩＤと関連付けて課金データをＰＡＳＰ２０に送信する（ステップＳ６６）。課金データは、データベース６４０に記録された利用履歴に基づいて決めることができる。
【００５８】
ＰＡＳＰ２０ではデータを受け取ると、決済仲介部２２０が起動して、受け取ったデータの中からオブジェクトＩＤを参照して、データベース２４０から、そのオブジェクトＩＤに対応づけられているユーザＩＤと通信キャリア種別データとを抽出し（ステップＳ２０）、その通信キャリア種別データに該当する通信キャリア管理装置４０に向けて、ユーザＩＤ、通信キャリア種別データ及び課金データを通信キャリア管理装置４０へと送信する（ステップＳ２２）。
【００５９】
通信キャリア管理装置４０ではデータを決済受付部４１０で受け取ると、その課金データを、記憶装置４４のデータベース４４０をユーザＩＤと対応付けて記録し（ステップＳ４０）、ユーザＩＤに対応する決済手段によって、その決済を行う（ステップＳ４２）。
【００６０】
通信キャリア管理装置４０の運営者によってユーザから徴収された課金データに対応する代金は、ＰＡＳＰ２０の運営者を介してＣＳＰ６０の運営者に支払われる。
【００６１】
こうして、ユーザは、ＣＳＰ６０への使用料金を払う一方で、ＣＳＰ６０に対する匿名性は保持されることになる。
【図面の簡単な説明】
【００６２】
【図１】本発明の第１の実施形態にかかるサービス提供・課金システムの全体構成を表すブロック図である。
【図２】携帯端末１０、ＰＡＳＰ２０、ＨＡＳＰ３０及び通信キャリア管理装置４０のそれぞれの記憶装置において管理及び格納するデータの説明図である。
【図３】携帯端末１０、ＰＡＳＰ２０、ＨＡＳＰ３０及び通信キャリア管理装置４０のデータの流れを説明する説明図である。
【図４】携帯端末１０、ＰＡＳＰ２０、ＨＡＳＰ３０及び通信キャリア管理装置４０の処理を表すフローチャートである。
【図５】個人データのデータ閲覧を行ったときの表示例である。
【図６】本発明の第２の実施形態にかかるサービス提供・課金システムの全体構成を表すブロック図である。
【図７】第２実施形態における携帯端末１０、ＰＡＳＰ２０、ＣＳＰ６０及び通信キャリア管理装置４０の処理を表すフローチャートである。
【符号の説明】
【００６３】
１０  携帯端末
１４  メモリ（第１記憶手段）
１６  個人データ生成部
２０  仲介サーバ（ＰＡＳＰ）
２４  記憶装置（第２記憶手段）
３０  サービス提供サーバ（ＨＡＳＰ）
３４  記憶装置（第３記憶手段）
３２０  個人データ提示部（サービス提供部）
３３０  決済要求部
４０  通信キャリア管理装置
４４  記憶装置（第４記憶手段）
４１０  決済受付部
６０  サービス提供サーバ（ＣＳＰ）
６４  記憶装置（第３記憶手段）
６２０  コンテンツ提供部（サービス提供部）
６３０  決済要求部
【図１】
2005182638.tif 000003
【図２】
2005182638.tif 000004
【図３】
2005182638.tif 000005
【図４】
2005182638.tif 000006
【図５】
2005182638.tif 000007
【図６】
2005182638.tif 000008
【図７】
2005182638.tif 000009